(57)【要約】      （修正有）【課題】リフトカバー本体にパットを内蔵することで、手首のマウスだこを防止するリフトカバーを提供する。【解決手段】本リフトカバー本体１にパット２を内蔵したものを、バンド３とマジックテープ（登録商標）６で手首に装着して、手首を保護することにより、パソコン操作時の長時間のマウス使用において、机上と手首の摩擦によってできるマウスだこ防止に役立つ。【選択図】図１
0003160301.tif 000002
【実用新案登録請求の範囲】
【請求項１】
リフトカバー本体にパットを内蔵し、クッションとすることで手首を保護し、パソコン操作時の長時間のマウス使用により、机上と手首の摩擦によってできるマウスだこを防止するところを特徴とするリフトカバー
【考案の詳細な説明】
【技術分野】
【０００１】  本考案は手首部にパットを内蔵したリフトカバーに関するものである。
【背景技術】
【０００２】  パソコン操作時において、長時間にわたるマウスの使用により手首にマウスだこができた。
【考案の概要】
【考案が解決しようとする課題】
【０００３】  パソコン操作時の長時間にわたるマウスの使用は、机上と手首の摩擦によりマウスだこができる。従って、内蔵されたパットがクッションの機能を果たし、手首を保護することでマウスだこを防止するという、従来にはないリフトカバーで前述の点を解決しようとするものである。
【課題を解決しようとするための手段】
【０００４】  本考案は、リフトカバー本体に手首を保護するためのパットをつけ、机上と手首の摩擦による刺激をパットが吸収し、長時間のマウス使用においても、摩擦による刺激を直に手首に与えず、マウスだこを防止することにより、問題点を解決している。
【考案の効果】
【０００５】  上述の様に本考案のマウスだこ防止リフトカバーは、マウスだこを防止するのに役立つ。
【図面の簡単な説明】
【０００６】
【図１】本考案のマウスだこ防止リフトカバーの実施例を示す正面図である。
【考案を実施するための形態】
【０００７】  リフトカバー本体を手の平にあてて親指を輪に通し、小指側のリフトバンドを手の甲側に回して、リフトバンドについたマジックテープで固定、手首を保護した状態でマウスを使用する。
【実施例】
【０００８】  以下、添付図面に従って実施例を説明する。１は布地等の適宣素材にて表裏縫合形成されたリフトカバー本体、２は摩擦防止のために内蔵されたウレタンパット、３は布地等の適宣素材にて表裏縫合されたリフトバンド、４はリフトの太さを調節するために内蔵された伸縮性ゴム、５は本体を装着するために親指を通す輪、６はリフトカバー本体を手首に固定するためのマジックテープ。【０００９】  本考案の実施例は上述の如き構成からなるものである。
【符号の説明】
【００１０】  １  リフトカバー本体
２  ウレタンパット
３  リフトバンド
４  伸縮性ゴム
５  輪
６  マジックテープ
【図１】
0003160301.tif 000003
【手続補正書】
【提出日】平成21年12月25日(2009.12.25)
【手続補正１】
【補正対象書類名】明細書
【補正対象項目名】全文
【補正方法】変更
【補正の内容】
【考案の詳細な説明】
【技術分野】
【０００１】本考案は手首部にパットを内蔵したリストカバーに関するものである。
【背景技術】
【０００２】パソコン操作時において、長時間にわたるマウスの使用により手首にマウスだこができた。
【考案の概要】
【考案が解決しようとする課題】
【０００３】パソコン操作時の長時間にわたるマウスの使用は、机上と手首の摩擦によりマウスだこができる。従って、内蔵されたパットがクッションの機能を果たし、手首を保護することでマウスだこを防止するという、従来にはないリストカバーで前述の点を解決しようとするものである。
【課題を解決しようとするための手段】
【０００４】本考案は、リストカバー本体に手首を保護するためのパットをつけ、机上と手首の摩擦による刺激をパットが吸収し、長時間のマウス使用においても、摩擦による刺激を直に手首に与えず、マウスだこを防止することにより、問題点を解決している。
【考案の効果】
【０００５】上述の様に本考案のマウスだこ防止リストカバーは、マウスだこを防止するのに役立つ。
【図面の簡単な説明】
【０００６】
【図１】本考案のマウスだこ防止リストカバーの実施例を示す正面図である。
【考案を実施するための形態】
【０００７】リストカバー本体を手の平にあてて親指を輪に通し、小指側のリストバンドを手の甲側に回して、リストバンドについたマジックテープで固定、手首を保護した状態でマウスを使用する。
【実施例】
【０００８】以下、添付図面に従って実施例を説明する。１は布地等の適宣素材にて表裏縫合形成されたリストカバー本体、２は摩擦防止のために内蔵されたウレタンパット、３は布地等の適宣素材にて表裏縫合されたリストバンド、４はリストの太さを調節するために内蔵された伸縮性ゴム、５は本体を装着するために親指を通す輪、６はリストカバー本体を手首に固定するためのマジックテープ。【０００９】本考案の実施例は上述の如き構成からなるものである。
【符号の説明】
【００１０】１  リストカバー本体
２  ウレタンパット
３    リストバンド
４  伸縮性ゴム
５  輪
６  マジックテープ
【手続補正２】
【補正対象書類名】実用新案登録請求の範囲
【補正対象項目名】全文
【補正方法】変更
【補正の内容】
【実用新案登録請求の範囲】
【請求項１】
リストカバー本体にパットを内蔵し、クッションとすることで手首を保護し、パソコン操作時の長時間のマウス使用により、机上と手首の摩擦によってできるマウスだこを防止するところを特徴とするリストカバー
【手続補正書】
【提出日】平成22年3月18日(2010.3.18)
【手続補正１】
【補正対象書類名】実用新案登録請求の範囲
【補正対象項目名】全文
【補正方法】変更
【補正の内容】
【実用新案登録請求の範囲】
【請求項１】
リストカバー本体の手の平、小指側手首部にパットを内蔵し、クッションとすることで手首を保護し、パソコン操作時の長時間のマウス使用により、机上と手首の摩擦によってできるマウスだこを防止するところを特徴とするリストカバー。
【手続補正２】
【補正対象書類名】明細書
【補正対象項目名】０００７
【補正方法】変更
【補正の内容】
【０００７】  リストカバー本体を手の平にあてて親指を輪に通し、小指側のリストバンドを手の甲側に回して、リストバンドについたマジックテープ（登録商標）で固定、手首を保護した状態でマウスを使用する。
【手続補正３】
【補正対象書類名】明細書
【補正対象項目名】０００８
【補正方法】変更
【補正の内容】
【０００８】  以下、添付図面に従って実施例を説明する。１は布地等の適宣素材にて表裏縫合形成されたリストカバー本体、２は摩擦防止のために内蔵されたウレタンパット、３は布地等の適宣素材にて表裏縫合されたリストバンド、４はリストの太さを調節するために内蔵された伸縮性ゴム、５は本体を装着するために親指を通す輪、６はリストカバー本体を手首に固定するためのマジックテープ（登録商標）。
【手続補正４】
【補正対象書類名】明細書
【補正対象項目名】００１０
【補正方法】変更
【補正の内容】
【００１０】  １  リストカバー本体
２  ウレタンパット
３    リストバンド
４  伸縮性ゴム
５  輪
６  マジックテープ（登録商標）